(57)【要約】      （修正有） 【課題】ヘッド部が予期せず押し圧され、内用液が外部に噴出することを防ぐストッパー機構を具えたプッシュ型ポンプディスペンサを提供する。【解決手段】ヘッド部１と、ストッパー機構２とを具えるポンプディスペンサ１０であって、ヘッド部は、ヘッド部本体１１と、支軸１１１を介してヘッド部本体に軸支する押し圧部１２と、ノズル部１３と、ベース１４とを具える。ノズル部は一端が押し圧部を通過して押し圧部の外に突出し、他端がベースに嵌挿する。ベースは一端にヘッド部本体を嵌設し、他端にノズル部の下端を嵌挿するとともに、嵌合面と一対の突出部を具える収納溝を形成する。ストッパー機構は、押し圧部２１と、干渉部２２と、突出耳部２３とを含む。【選択図】図１
0003200005.tif 000002
【実用新案登録請求の範囲】
【請求項１】
ヘッド部と、ストッパー機構とを具えるポンプディスペンサであって、
該ヘッド部は、ヘッド部本体と、支軸を介して該ヘッド部本体に軸支する押し圧部と、ノズル部と、ベースとを具えてなり、
該ノズル部は一端が該押し圧部を通過して該押し圧部の外に突出し、他端が該ベースに嵌挿し、
該ベースは一端に該ヘッド部本体を嵌設し、他端に該ノズル部の下端を嵌挿するとともに、該嵌合面と一対の突出部を具える収納溝を有してなり、
該ストッパー機構は、押し圧部と、干渉部と、突出耳部とを有してなり、力を受けると摺動して位置が移動するように該ベースの該収納溝に緩挿し、該ストッパー機構が該第１スライド位置に至ると、該干渉部が該ノズル部の底端縁部に抵触して干渉状態になるように構成することを特徴とするストッパー機構を具えたプッシュ型ポンプディスペンサ。
【請求項２】
前記干渉部と該押し圧部との間に、該ベースの外周縁に抵触して、該ストッパー機構の摺動する範囲を制限する当止部を有することを特徴とする請求項１に記載のストッパー機構を具えたプッシュ型ポンプディスペンサ。
【請求項３】
前記ヘッド部本体には、液体を収納する容器に取付けるための連結部を有することを特徴とする請求項１に記載のストッパー機構を具えたプッシュ型ポンプディスペンサ。
【請求項４】
前記ベースは、ポンプ手段を取付け、かつ収納するための嵌設部を具えることを特徴とする請求項１に記載のストッパー機構を具えたプッシュ型ポンプディスペンサ。
【請求項５】
前記突出部の両側には、該ストッパー機構を順調に摺動させるための面取り部をそれぞれ有することを特徴とする請求項１に記載のストッパー機構を具えたプッシュ型ポンプディスペンサ。
【請求項６】
前記ヘッド部本体は、手で握るために供する把持部を具えることを特徴とする請求項１に記載のストッパー機構を具えたプッシュ型ポンプディスペンサ。
【請求項７】
前記押し圧部は、手で握り、力をかけるためのレバー部を具えることを特徴とする請求項１に記載のストッパー機構を具えたプッシュ型ポンプディスペンサ。
【考案の詳細な説明】
【技術分野】
【０００１】
この考案は、液体を収納した容器に取付け、該容器の内容液を吹き付ける装置であるポンプディスペンサに関し、特にヘッド部が予期せず押し圧されること防ぐストッパー機構を具えたプッシュ型ポンプディスペンサに関する。
【背景技術】
【０００２】
例えば、乳液、ローション、もしくはボディソープなどの身体洗浄剤などの液体を収納した瓶、缶は、日常生活において多用され、その種類も多い。これら容器の多くはプッシュ型のポンプディスペンを着脱自在に設け、容器に収納した液体などの吐出、取出しに供する。
【０００３】
しかしながら、従来のプッシュ型ポンプディスペンサは、ヘッド部が予期せず押し圧されること防ぐための何らストッパー構造も設けられていない。特に、ポンプディスペンサを取り付けた容器を運送する過程においては、他の物体とぶつかり、予期せずヘッド部が押し圧される状況が容易に発生する。また、ポンプディスペンサを取り付けた容器を携帯した場合でも、他の物品による押し圧を受けて、予期せずヘッド部が押されることが極めて容易に発生し、容器の内容液が外部に噴出する。よって、従来のプッシュ型ポンプディスペンサは実用性において不十分であり、改良の必要がある。係る問題は業界において改善が求められている。
【考案の概要】
【考案が解決しようとする課題】
【０００４】
この考案は、液体を収納した容器に取付けるポンプディスペンサであって、ヘッド部が予期せず押し圧され、内用液が外部に噴出することを防ぐストッパー機構を具えたプッシュ型ポンプディスペンサを提供することを課題とする。
【課題を解決するための手段】
【０００５】
そこで、本考案者は従来のプッシュ型ポンプディスペンサに見られる欠点に鑑みて鋭意研究を重ねた結果、ヘッド部と、ストッパー機構とを具えるポンプディスペンサであって、該ヘッド部は、ヘッド部本体と、支軸を介して該ヘッド部本体に軸支する押し圧部と、ノズル部と、ベースとを具えてなり、該ノズル部は一端が該押し圧部を通過して該押し圧部の外に突出し、他端が該ベースに嵌挿し、該ベースは一端に該ヘッド部本体を嵌設し、他端に該ノズル部の下端を嵌挿するとともに、該嵌合面と一対の突出部を具える収納溝を形成してなり、該ストッパー機構は、押し圧部と、干渉部と、突出耳部とを含んでなるプッシュ型ポンプディスペンサによって課題を解決できる点に着眼し、係る知見に基づいて本考案を完成させた。以下、この考案について説明する。
【０００６】
請求項１に記載するストッパー機構を具えたプッシュ型ポンプディスペンサは、ヘッド部と、ストッパー機構とを具えるポンプディスペンサであって、
該ヘッド部は、ヘッド部本体と、支軸を介して該ヘッド部本体に軸支する押し圧部と、ノズル部と、ベースとを具えてなり、
該ノズル部は一端が該押し圧部を通過して該押し圧部の外に突出し、他端が該ベースに嵌挿し、
該ベースは一端に該ヘッド部本体を嵌設し、他端に該ノズル部の下端を嵌挿するとともに、該嵌合面と一対の突出部を具える収納溝を形成してなり、
該ストッパー機構は、押し圧部と、干渉部と、突出耳部とを含んでなり、力を受けると摺動して位置が移動するように該ベースの該収納溝に緩挿し、該ストッパー機構が該第１スライド位置に至ると、該干渉部が該ノズル部の底端縁部に抵触して干渉状態を形成するように構成する。
【０００７】
請求項２に記載するストッパー機構を具えたプッシュ型ポンプディスペンサは、請求項１における干渉部と該押し圧部との間に、該ベースの外周縁に抵触して、該ストッパー機構の摺動する範囲を制限する当止部を形成する。
【０００８】
請求項３に記載するストッパー機構を具えたプッシュ型ポンプディスペンサは、請求項１におけるヘッド部本体に、液体を収納する容器に取付けるための連結部を形成する。
【０００９】
請求項４に記載するストッパー機構を具えたプッシュ型ポンプディスペンサは、請求項１におけるベースが、ポンプ手段を取付け、かつ収納するための嵌設部を具える。
【００１０】
請求項５に記載するストッパー機構を具えたプッシュ型ポンプディスペンサは、請求項１における突出部の両側には、該ストッパー機構を順調に摺動させるための面取り部をそれぞれ形成する。
【００１１】
請求項６に記載するストッパー機構を具えたプッシュ型ポンプディスペンサは、請求項１におけるヘッド部本体が、手で握るために供する把持部を具える。
【００１２】
請求項７に記載するストッパー機構を具えたプッシュ型ポンプディスペンサは、請求項１における押し圧部が、手で握り、力をかけるためのレバー部を具える。
【図面の簡単な説明】
【００１３】
【図１】この考案によるポンプディスペンサの分解図である。
【図２】この考案におけるストッパー機構を底面側から見た斜視図である。
【図３】この考案におけるベースの局部断面を示した説明図である。
【図４】この考案におけるストッパー機構と、ベースと、ノズル部とを組み合わせた状態を示す局部説明図である。
【図４Ａ】図４の局部を拡大した説明図である。
【図４Ｂ】図４の局部を拡大した他の説明図である。
【図５】この考案におけるストッパー機構が干渉した状態を示した説明図である。
【図６】この考案におけるストッパー機構が干渉した状態を示した局部説明図である。
【図７】この考案におけるストッパー機構の干渉が解除した状態を示した説明図である。
【図８】この考案におけるストッパー機構の干渉が解除した後の押し圧の動作を示した説明図である。
【図９】この考案におけるストッパー機構の干渉が解除した後の押し圧の動作を示した局部説明図である。
【考案を実施するための形態】
【００１４】
この考案は、液体を収納した容器に取付けるポンプディスペンサであって、ヘッド部が予期せず押し圧され、内用液が外部に噴出することを防ぐストッパー機構を具えたプッシュ型ポンプディスペンサを提供するものであって、ヘッド部と、ストッパー機構とを具えるポンプディスペンサであって、該ヘッド部は、ヘッド部本体と、支軸を介して該ヘッド部本体に軸支する押し圧部と、ノズル部と、ベースとを具えてなり、該ノズル部は一端が該押し圧部を通過して該押し圧部の外に突出し、他端が該ベースに嵌挿し、該ベースは一端に該ヘッド部本体を嵌設し、他端に該ノズル部の下端を嵌挿するとともに、該嵌合面と一対の突出部を具える収納溝を形成してなり、該ストッパー機構は、押し圧部と、干渉部と、突出耳部とを含んでなる。
係るストッパー機構を具えたプッシュ型ポンプディスペンサの特徴を説明するために、具体的な実施例を挙げ、図面を参照にして以下に詳述する。
【実施例】
【００１５】
また、この考案はストッパー機構を具えるプッシュ型ポンプディスペンサを提供するものであるが、ノズルを含むヘッド部の構造と、液体を汲み取り吹き出すための原理は、関連する従来の技術を応用したものであって、当業者が通常の知識によって十分想到し得るものである。よって、当該部分に関しては、完全な説明をすることなく、この考案の特徴を主要な説明の対象とする。また、同時に提出する図面は、同様にこの考案の特徴を開示したものであって、それぞれの部材の実際のサイズに合わせた完全な図面ではないことを先ず述べておく。
【００１６】
図１に開示するように、この考案によるポンプディスペンサ１０は、ヘッド部１と、ストッパー機構２とによってなる。
【００１７】
図１から図４に開示するように、ヘッド部１は、ヘッド部本体１１と、支軸１１１を介してヘッド部本体１１に軸支する押し圧部１２と、ノズル部１３と、ベース１４とを具えてなり、ノズル部１３は一端が押し圧部１２を通過して、押し圧部１２の外に突出し、他端がベース１４に嵌挿する。
【００１８】
ベース１４は一端にヘッド部本体１１を嵌設し、他端にはノズル部１３の下端を嵌挿する。また、ベース１４は嵌合面１４２と一対の突出部１４３を具える収納溝１４１を形成する。
【００１９】
ストッパー機構２は、押し圧部２１と、干渉部２２と、突出耳部２３とを含んでなり、ベース１４の収納溝１４１に緩挿し、力を受けると摺動して位置が移動する。実施例において押し圧部２１は円形のプッシュキーであって、干渉部２２は押し圧部２１の後方から延伸し、かつ干渉部２２と押し圧部２１との間に当止部２４を形成する。
【００２０】
当止部２４はベース１４の外周縁に抵触して、ストッパー機構２の摺動する範囲を制限する。
【００２１】
突出耳部２３は干渉部２２の両側から延伸して一端を自由端とし、かつ該自由端にベース１４の嵌合面１４２が係止する一対の係合部２３１を形成する。また、突出耳部２３の自由端に近接した位置には、突出部１４３が嵌合させるための一対の突起部２３２を形成する。突起部２３２の両側はそれぞれ第１スライド位置２３３と、第２スライド位置２３４とする。よって、ストッパー機構２が第１スライド位置２３３に至ると、干渉部２２がノズル部１３の底端縁部に抵触して干渉状態を形成する。このため押し圧部１２を押し圧して下降させることができなくなり、予期せずヘッド部１が押し圧される事態を防ぐことができる。
【００２２】
実施例において、ヘッド部本体１１は、手で握るために供する把持部１１２を形成するとともに、押し圧部１２には、手で握り、力をかけるためのレバー部１２１を具える。
【００２３】
図８に開示するように、ヘッド部本体１１には、液体を収納する容器４に取付けるための連結部１１３を形成する。また、ベース１４は、ポンプ手段３を取付け、収納するための嵌設部１４４を具える。
【００２４】
ここで特筆すべきは、実施例においては突出部１４３の両側には、それぞれ面取り部１４３１を形成してストッパー機構２の順調な摺動を達成することである。
【００２５】
ストッパー機構２の位置を切換える場合は、ストッパー機構２の押し圧部２１に力を加えて摺動させる。この場合、ストッパー機構２の係合部２３１とベース１４の嵌合面とが係合する。よって、ストッパー機構２が外れて脱落することがなく、部品を失うリスクを効率よく減少させることができる。
【００２６】
図１から図５に、ストッパー機構２が干渉した状態を開示する。ストッパー機構２の押し圧部２１に力を加えると、ストッパー機構２は第１スライド位置２３３に移動し、係合部２３１とベース１４の嵌合面とが係合する。この場合、当止部２４にベース１４の外縁部が抵触し、ストッパー機構２は、さらに前進することができなくなる。同時に、図６に開示するように押し圧部１２を押し圧すると、ノズル部１３が連動して下方に移動し、ノズル部１３の底端縁がストッパー部２の干渉部２２に抵触して干渉した状態になる。よって、押し圧部１２を押して下方に移動させることができなくなり、予期せずヘッド部１が押し圧される事態を防ぐことができる。
【００２７】
図７にストッパー機構２の干渉を解除した状態を開示する。ストッパー機構２の押し圧部２１が力を受けて初期の状態に戻る場合、ストッパー機構２は摺動して第２スライド位置２３４に移動して突出部１４３と係合する。この場合、図９に開示するようにノズル部１３の底端縁部がストッパー機構２の干渉部２の干渉から脱離する。この状態において押し圧部１２を押し圧すると、図８に開示するようにノズル部１３を連動して下方に移動させ、押し圧の動作が完成する。
【００２８】
また、ストッパー機構２の押し圧部２１が力を受けて初期の状態に戻る場合、係合部２３１が対応する嵌合面１４２に係合し、ストッパー機構２が位置決めされ、さらに前進することがない。さらに、図９及び図４Ａに開示するように、ストッパー機構２の係合部２３１とベース１４の嵌合面とが係合する。よって、ストッパー機構２が外れて脱落することがなく、部品を失うリスクを効率よく減少させることができる。
【００２９】
以上はこの考案の好ましい実施の形態であって、この考案の実施の範囲を限定するものではない。よって、当業者の成し得る改修、変更などであって、この考案の精神の下においてなされ、かつこの考案に対して均等の効果を有するものは、いずれもこの考案の実用新案登録請求の範囲に属するものとする。
【符号の説明】
【００３０】
１         ヘッド部
１０       ポンプディスペンサ
１１       ヘッド部本体
１１１     支軸
１１２     把持部
１１３     連結部
１２       押し圧部
１２１     レバー部
１３       ノズル部
１４       ベース
１４１     収納溝
１４２     嵌合面
１４３     突出部
１４３１   面取り
１４４     嵌設部
２         ストッパー機構
２１       押し圧部
２２       干渉部
２３       突出耳部
２３１     係合部
２３２     突起部
２３３     第１スライド位置
２３４     第２スライド位置
２４       当止部
３         ポンプ手段
４         容器
【図１】
0003200005.tif 000003
【図２】
0003200005.tif 000004
【図３】
0003200005.tif 000005
【図４】
0003200005.tif 000006
【図４Ａ】
0003200005.tif 000007
【図４Ｂ】
0003200005.tif 000008
【図５】
0003200005.tif 000009
【図６】
0003200005.tif 000010
【図７】
0003200005.tif 000011
【図８】
0003200005.tif 000012
【図９】
0003200005.tif 000013
【手続補正書】
【提出日】平成27年7月15日(2015.7.15)
【手続補正１】
【補正対象書類名】実用新案登録請求の範囲
【補正対象項目名】全文
【補正方法】変更
【補正の内容】
【実用新案登録請求の範囲】
【請求項１】
ヘッド部と、ストッパー機構とを具えるポンプディスペンサであって、
該ヘッド部は、ヘッド部本体と、支軸を介して該ヘッド部本体に軸支する第１押し圧部と、ノズル部と、ベースとを具えてなり、
該ノズル部は一端が該押し圧部を通過して該押し圧部の外に突出し、他端が該ベースに嵌挿し、
該ベースは一端に該ヘッド部本体を嵌設し、他端に該ノズル部の下端を嵌挿するとともに、該嵌合面と一対の突出部を具える収納溝を有してなり、
該ストッパー機構は、第２押し圧部と、干渉部と、第１スライド位置及び第２スライド位置を有する突出耳部とを有してなり、力を受けると摺動して位置が移動するように該ベースの該収納溝に緩挿し、該ストッパー機構が該第１スライド位置に至ると、該干渉部が該ノズル部の底端縁部に抵触して干渉状態になるように構成することを特徴とするストッパー機構を具えたプッシュ型ポンプディスペンサ。
【請求項２】
前記干渉部と該第２押し圧部との間に、該ベースの外周縁に抵触して、該ストッパー機構の摺動する範囲を制限する当止部を有することを特徴とする請求項１に記載のストッパー機構を具えたプッシュ型ポンプディスペンサ。
【請求項３】
前記ヘッド部本体には、液体を収納する容器に取付けるための連結部を有することを特徴とする請求項１に記載のストッパー機構を具えたプッシュ型ポンプディスペンサ。
【請求項４】
前記ベースは、ポンプ手段を取付け、かつ収納するための嵌設部を具えることを特徴とする請求項１に記載のストッパー機構を具えたプッシュ型ポンプディスペンサ。
【請求項５】
前記突出部の両側には、該ストッパー機構を順調に摺動させるための面取り部をそれぞれ有することを特徴とする請求項１に記載のストッパー機構を具えたプッシュ型ポンプディスペンサ。
【請求項６】
前記ヘッド部本体は、手で握るために供する把持部を具えることを特徴とする請求項１に記載のストッパー機構を具えたプッシュ型ポンプディスペンサ。
【請求項７】
前記第１押し圧部は、手で握り、力をかけるためのレバー部を具えることを特徴とする請求項１に記載のストッパー機構を具えたプッシュ型ポンプディスペンサ。
【手続補正２】
【補正対象書類名】明細書
【補正対象項目名】０００６
【補正方法】変更
【補正の内容】
【０００６】
請求項１に記載するストッパー機構を具えたプッシュ型ポンプディスペンサは、ヘッド部と、ストッパー機構とを具えるポンプディスペンサであって、該ヘッド部は、ヘッド部本体と、支軸を介して該ヘッド部本体に軸支する第１押し圧部と、ノズル部と、ベースとを具えてなり、該ノズル部は一端が該押し圧部を通過して該押し圧部の外に突出し、他端が該ベースに嵌挿し、該ベースは一端に該ヘッド部本体を嵌設し、他端に該ノズル部の下端を嵌挿するとともに、該嵌合面と一対の突出部を具える収納溝を有してなり、該ストッパー機構は、第２押し圧部と、干渉部と、第１スライド位置及び第２スライド位置を有する突出耳部とを有してなり、力を受けると摺動して位置が移動するように該ベースの該収納溝に緩挿し、該ストッパー機構が該第１スライド位置に至ると、該干渉部が該ノズル部の底端縁部に抵触して干渉状態になるように構成する。
【手続補正３】
【補正対象書類名】明細書
【補正対象項目名】０００７
【補正方法】変更
【補正の内容】
【０００７】
請求項２には、前記干渉部と該第２押し圧部との間に、該ベースの外周縁に抵触して、該ストッパー機構の摺動する範囲を制限する当止部を有する構成。